(57)【要約】【課題】本発明は果物ジューサーを開示した。【解決手段】台座を含み、前記台座には絞りコップが固定的に装着され、前記絞りコップの中にはジュースを絞り且つジュースと絞りカスとを分離できる絞り機構が設置され、前記絞りコップの頂部にはコップ蓋がねじ山により装着され、前記コップ蓋の頂部には皮取り箱が固定的に装着され、前記皮取り箱の中には皮取り機構が設置され、前記皮取り機構は前記皮取り箱の中に設置された歯車チャンバを含み、前記皮取り箱の中には皮取りチャンバが設置され、前記歯車チャンバの底壁と前記皮取りチャンバの頂壁との間には第一歯車軸が回転可能に装着され、前記第一歯車軸の底部端面には爪盤が固定的に装着され、前記皮取りチャンバの右側内壁にはスライドブロック溝が設置される。【選択図】図１
2020182789.tif 000002
【特許請求の範囲】
【請求項１】
正面視で、果物ジューサーであって、台座を含み、前記台座には絞りコップが固定的に装着され、前記絞りコップの中にはジュースを絞り且つジュースと絞りカスとを分離できる絞り機構が設置され、前記絞りコップの頂部にはコップ蓋がねじ山により装着され、前記コップ蓋の頂部には皮取り箱が固定的に装着され、前記皮取り箱の中には皮取り機構が設置され、前記皮取り機構は前記皮取り箱の中に設置された歯車チャンバを含み、前記皮取り箱の中には皮取りチャンバが設置され、前記歯車チャンバの底壁と前記皮取りチャンバの頂壁との間には第一歯車軸が回転可能に装着され、前記第一歯車軸の底部端面には爪盤が固定的に装着され、前記皮取りチャンバの右側内壁にはスライドブロック溝が設置され、前記スライドブロック溝の底壁と前記歯車チャンバの底壁との間にはねじ山棒が回転可能に装着され、前記ねじ山棒にはねじ山スライドブロックがねじ山により装着され、前記ねじ山スライドブロックと前記スライドブロック溝とがスライド可能に装着され、前記ねじ山スライドブロックには支持棒が固定的に装着され、前記支持棒の前側端面には皮取り刀棒がヒンジにより装着され、前記皮取り刀棒の右側末端と前記ねじ山スライドブロックとの間にはばねが固定的に装着され、前記皮取り刀棒にはローリングボールが回転可能に装着され、前記ローリングボールは前記皮取り刀棒を果物の外表面の弧線上に移動でき、前記皮取り刀棒に左側末端には皮取り刀が固定的に装着され、前記皮取り機構の右側には果物を角切できる切機構が設置され、前記切機構の中には押棒溝が設置され、前記押棒溝の中には押棒がスライド可能に装着され、前記押棒溝の中には切刀が固定的に装着され、前記切機構の左側にはジュースを取るジュース取り機構が設置されていることを特徴とする果物ジューサー。
【請求項２】
前記絞り機構はまた前記台座の中に固定的に装着された第一モータを含み、前記第一モータには第二歯車軸が固定的に装着され、前記第二歯車軸の頂部端面には撹拌ブレードが固定され、前記絞りコップの中には濾過網が設置されていることを特徴とする請求項１に記載の果物ジューサー。
【請求項３】
前記皮取り機構はまた前記皮取りチャンバの下部に設置された皮収納箱を含み、前記皮取りチャンバと前記皮収納箱とが連通されており、前記第一歯車軸の上部端面には第一歯車が固定的に装着され、前記ねじ山棒の上部端面には第二歯車が固定的に装着され、前記歯車チャンバの右側内壁には第二モータが固定的に装着され、前記第二モータには第二モータ軸が固定的に装着され、前記第二モータ軸には第三歯車が固定的に装着され、前記第一歯車と前記第三歯車とが噛み合っており、前記第二モータ軸において前記第三歯車の右側には第四歯車が固定的に装着され、前記第二歯車と前記第四歯車とが噛み合っており、前記皮取りチャンバの底壁には第三モータが固定的に装着され、前記第三モータには第三モータ軸が固定的に装着され、前記第三モータ軸には回転盤が固定的に装着され、前記回転盤には第一液圧シリンダーが固定的に装着され、前記第一液圧チャンバには第一ピストン押棒が装着され、前記第一ピストン押棒にはトレイが固定的に装着されていることを特徴とする請求項１に記載の果物ジューサー。
【請求項４】
前記切機構は前記皮取りチャンバの左側内壁に設置された止め板溝を含み、前記止め板溝の中には止め板がスライド可能に装着され、前記押棒溝と前記皮取りチャンバとの間には回し棒チャンバが連通するように設置され、前記回し棒チャンバの頂壁には回し棒が固定的に装着され、前記押棒溝の左側内壁には液圧チャンバが設置され、前記液圧チャンバの中には第二液圧シリンダーが設置され、前記第二液圧シリンダーには第二ピストン押棒が装着されていることを特徴とする請求項１に記載の果物ジューサー。
【発明の詳細な説明】
【技術分野】
【０００１】
本発明は生活用品分野に関し、具体的には果物ジューサーに関する。
【背景技術】
【０００２】
現在市販されているジューサーは簡単に構成されており、機構も単一で、しかも皮の剥かれた果物でなければ使用できなく、りんごやなしといった果物だと、皮をむきにくく、手を傷つける恐れがある。また、出来上がったジュースを飲む時手動でコップに注ぐ必要があり、面倒くさい。
【先行技術文献】
【特許文献】
【０００３】
【特許文献１】中国特許出願公開第105473032号明細書
【発明の概要】
【発明が解決しようとする課題】
【０００４】
本発明の目的は果物ジューサーを提供し、それは上記の現在の技術中の問題を解決できる。
【課題を解決するための手段】
【０００５】
果物ジューサーであって、台座を含み、前記台座には絞りコップが固定的に装着され、前記絞りコップの中にはジュースを絞り且つジュースと絞りカスとを分離できる絞り機構が設置され、前記絞りコップの頂部にはコップ蓋がねじ山により装着され、前記コップ蓋の頂部には皮取り箱が固定的に装着され、前記皮取り箱の中には皮取り機構が設置され、前記皮取り機構は前記皮取り箱の中に設置された歯車チャンバを含み、前記皮取り箱の中には皮取りチャンバが設置され、前記歯車チャンバの底壁と前記皮取りチャンバの頂壁との間には第一歯車軸が回転可能に装着され、前記第一歯車軸の底部端面には爪盤が固定的に装着され、前記皮取りチャンバの右側内壁にはスライドブロック溝が設置され、前記スライドブロック溝の底壁と前記歯車チャンバの底壁との間にはねじ山棒が回転可能に装着され、前記ねじ山棒にはねじ山スライドブロックがねじ山により装着され、前記ねじ山スライドブロックと前記スライドブロック溝とがスライド可能に装着され、前記ねじ山スライドブロックには支持棒が固定的に装着され、前記支持棒の前側端面には皮取り刀棒がヒンジにより装着され、前記皮取り刀棒の右側末端と前記ねじ山スライドブロックとの間にはばねが固定的に装着され、前記皮取り刀棒にはローリングボールが回転可能に装着され、前記ローリングボールは前記皮取り刀棒を果物の外表面の弧線上に移動でき、前記皮取り刀棒に左側末端には皮取り刀が固定的に装着され、前記皮取り機構の右側には果物を角切できる切機構が設置され、前記切機構の中には押棒溝が設置され、前記押棒溝の中には押棒がスライド可能に装着され、前記押棒溝の中には切刀が固定的に装着され、前記切機構の左側にはジュースを取るジュース取り機構が設置されている。
【０００６】
優選的には、前記絞り機構はまた前記台座の中に固定的に装着された第一モータを含み、前記第一モータには第二歯車軸が固定的に装着され、前記第二歯車軸の頂部端面には撹拌ブレードが固定され、前記絞りコップの中には濾過網が設置されている。
【０００７】
優選的には、前記皮取り機構はまた前記皮取りチャンバの下部に設置された皮収納箱を含み、前記皮取りチャンバと前記皮収納箱とが連通されており、前記第一歯車軸の上部端面には第一歯車が固定的に装着され、前記ねじ山棒の上部端面には第二歯車が固定的に装着され、前記歯車チャンバの右側内壁には第二モータが固定的に装着され、前記第二モータには第二モータ軸が固定的に装着され、前記第二モータ軸には第三歯車が固定的に装着され、前記第一歯車と前記第三歯車とが噛み合っており、前記第二モータ軸において前記第三歯車の右側には第四歯車が固定的に装着され、前記第二歯車と前記第四歯車とが噛み合っており、前記皮取りチャンバの底壁には第三モータが固定的に装着され、前記第三モータには第三モータ軸が固定的に装着され、前記第三モータ軸には回転盤が固定的に装着され、前記回転盤には第一液圧シリンダーが固定的に装着され、前記第一液圧チャンバには第一ピストン押棒が装着され、前記第一ピストン押棒にはトレイが固定的に装着されている。
【０００８】
優選的には、前記切機構は前記皮取りチャンバの左側内壁に設置された止め板溝を含み、前記止め板溝の中には止め板がスライド可能に装着され、前記押棒溝と前記皮取りチャンバとの間には回し棒チャンバが連通するように設置され、前記回し棒チャンバの頂壁には回し棒が固定的に装着され、前記押棒溝の左側内壁には液圧チャンバが設置され、前記液圧チャンバの中には第二液圧シリンダーが設置され、前記第二液圧シリンダーには第二ピストン押棒が装着されている。
【発明の効果】
【０００９】
本発明の有益効果は：伝統的なジューサーと比べ、本発明は自動的に皮を剥くことができ、人力による皮むきのリスクを防止し、ジュースを取るのも便利になり、ジュースを飲むの便利度を上げ、宣伝価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は果物ジューサーの全体構造図
【図２】図２は図１におけるＡ―Ａ方向の断面構造図
【図３】図３は図１におけるＢの拡大構造図
【図４】図４は図１におけるＣの拡大構造図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、果物ジューサーであって、台座１９を含み、前記台座１９には絞りコップ１４が固定的に装着され、前記絞りコップ１４の中にはジュースを絞り且つジュースと絞りカスとを分離できる絞り機構１０が設置され、前記絞りコップ１４の頂部にはコップ蓋１５がねじ山により装着され、前記コップ蓋１５の頂部には皮取り箱１７が固定的に装着され、前記皮取り箱１７の中には皮取り機構２０が設置され、前記皮取り機構２０は前記皮取り箱１７の中に設置された歯車チャンバ３４を含み、前記皮取り箱１７の中には皮取りチャンバ１８が設置され、前記歯車チャンバ３４の底壁と前記皮取りチャンバ１８の頂壁との間には第一歯車軸３２が回転可能に装着され、前記第一歯車軸３２の底部端面には爪盤３３が固定的に装着され、前記皮取りチャンバ１８の右側内壁にはスライドブロック溝２１が設置され、前記スライドブロック溝２１の底壁と前記歯車チャンバ３４の底壁との間にはねじ山棒７０が回転可能に装着され、前記ねじ山棒７０にはねじ山スライドブロック３５がねじ山により装着され、前記ねじ山スライドブロック３５と前記スライドブロック溝２１とがスライド可能に装着され、前記ねじ山スライドブロック３５には支持棒２２が固定的に装着され、前記支持棒２２の前側端面には皮取り刀棒２８がヒンジにより装着され、前記皮取り刀棒２８の右側末端と前記ねじ山スライドブロック３５との間にはばね５２が固定的に装着され、前記皮取り刀棒２８にはローリングボール２９が回転可能に装着され、前記ローリングボール２９は前記皮取り刀棒２８を果物の外表面の弧線上に移動でき、前記皮取り刀棒２８に左側末端には皮取り刀２３が固定的に装着され、前記皮取り機構２０の右側には果物を角切できる切機構３０が設置され、前記切機構３０の中には押棒溝３８が設置され、前記押棒溝３８の中には押棒３７がスライド可能に装着され、前記押棒溝３８の中には切刀７１が固定的に装着され、前記切機構３０の左側にはジュースを取るジュース取り機構６０が設置されている。
【００１４】
前記絞り機構１０はまた前記台座１９の中に固定的に装着された第一モータ１１を含み、前記第一モータ１１には第二歯車軸１２が固定的に装着され、前記第二歯車軸１２の頂部端面には撹拌ブレード６４が固定され、前記絞りコップ１４の中には濾過網１３が設置され、ジュースを絞る時、第一モータ１１を起動し、第一モータ１１が撹拌ブレード６４を回転連動させ、撹拌ブレード６４が濾過網１３における果物を高速に回転させ、遠心作用により果物の中の汁を分離し、ジュースが濾過網１３を経由して絞りコップ１４の中に流れ込み、絞りカスが濾過網１３の中に残り、ジュースの絞りが完了する。
【００１５】
前記皮取り機構２０はまた前記皮取りチャンバ１８の下部に設置された皮収納箱１６を含み、前記皮取りチャンバ１８と前記皮収納箱１６とが連通されており、前記第一歯車軸３２の上部端面には第一歯車３０が固定的に装着され、前記ねじ山棒７０の上部端面には第二歯車２６が固定的に装着され、前記歯車チャンバ３４の右側内壁には第二モータ２４が固定的に装着され、前記第二モータ２４には第二モータ軸２５が固定的に装着され、前記第二モータ軸２５には第三歯車３１が固定的に装着され、前記第一歯車３０と前記第三歯車３１とが噛み合っており、前記第二モータ軸２５において前記第三歯車３１の右側には第四歯車２７が固定的に装着され、前記第二歯車２６と前記第四歯車２７とが噛み合っており、前記皮取りチャンバ１８の底壁には第三モータ４４が固定的に装着され、前記第三モータ４４には第三モータ軸４３が固定的に装着され、前記第三モータ軸４３には回転盤４２が固定的に装着され、前記回転盤４２には第一液圧シリンダー４１が固定的に装着され、前記第一液圧チャンバ４１には第一ピストン押棒４０が装着され、前記第一ピストン押棒４０にはトレイ３９が固定的に装着され、皮と取る時、果物をトレイ３９に置き、第一液圧シリンダー４１を起動し、第一液圧シリンダー４１がトレイ３９を上に移動連動させ、果物をきつく挟んだ後、第二モータ２４を起動し、第二モータ２４が第三歯車３１と第四歯車２７とを回転連動させ、第三歯車３１が爪盤３３を回転連動させ、第四歯車２７がねじ山棒７０を回転連動させ、ねじ山棒７０がねじ山スライドブロック３５をスライドブロック溝２１の中で上下に移動連動させ、ねじ山スライドブロック３５が皮取り刀２３を連動させて果物の外表面の弧線で上下に移動させ、皮を剥く。
【００１６】
前記切機構３０は前記皮取りチャンバ１８の左側内壁に設置された止め板溝６２を含み、前記止め板溝６２の中には止め板３６がスライド可能に装着され、前記押棒溝３８と前記皮取りチャンバ１８との間には回し棒チャンバ６３が連通するように設置され、前記回し棒チャンバ６３の頂壁には回し棒６１が固定的に装着され、前記押棒溝３８の左側内壁には液圧チャンバ４５が設置され、前記液圧チャンバ４５の中には第二液圧シリンダー４７が設置され、前記第二液圧シリンダー４７には第二ピストン押棒４６が装着され、皮を剥く時、止め板３６を閉め、果物を切る時、止め板３６を開け、第三モータ４４を起動し、第三モータ４４が回転盤４２を回転連動させ、回転盤４２が果物を左に回転連動させ、果物が回し棒チャンバ６３の中に回転した後、回し棒６１の作用により押棒溝３８の中に落ち、そして下に押棒３７を押し、果物が角切されて絞りコップ１４の中に落ち、皮取りチャンバ１８に残ったカスを取る時、第二液圧シリンダー４７を起動し、第二液圧シリンダー４７が第二ピストン押棒４６を押し動かし、第二ピストン押棒４６が皮取りチャンバ１８におけるカスを皮収納箱１６の中に押し、皮収納箱１６の中の皮のカスを取る時、皮収納箱１６を引き出し、皮のカスを出せば良い。
【００１７】
前記ジュース取り機構６０はジュース取り台５１に固定的に装着された固定ブロック５０を含み、前記固定ブロック５０の中にはジュース出しパイプ６５が固定的に装着され、前記ジュース出しパイプ６５が前記絞りコップ１４を貫通して前記絞りコップ１４の中に位置しており、前記ジュース出しパイプ６５の内部には水ポンプ４９が設置され、ジュースを出す時、水ポンプ４９を起動すればよく、また、ジュース出しが完了したら水ポンプ４９を閉めば良い。
【００１８】
使用する時、果物をトレイ３９に置き、止め板３６を閉め、第一液圧シリンダー４１を起動し、果物をきつく挟んだ後、第二モータ２４を起動し、第二モータ２４が第二モータ軸２５を回転連動させ、第二モータ軸２５が同時に第三歯車３１と第四歯車２７とを回転連動させ、第三歯車３１が第一歯車軸３２を回転連動させ、第一歯車軸３２が爪盤３３を回転連動させると同時に、第四歯車２７がねじ山棒７０を回転連動させ、ねじ山棒７０がねじ山スライドブロック３５をスライドブロック溝２１の中で上下に移動連動させ、ねじ山スライドブロック３５が皮取り刀２３を連動させて果物の外表面の弧線で上下に移動させ、皮を剥き、そして止め板３６を開け、第三モータ４４を起動し、第三モータ４４が果物を左に回転連動させ、果物が回し棒チャンバ６３の中に回転した後、回し棒６１の作用により押棒溝３８の中に落ち、そして下に押棒３７を押し、果物が角切されて絞りコップ１４の中に落ち、第一モータ１１を起動し、第一モータ１１が撹拌ブレード６４を回転連動させ、撹拌ブレード６４が遠心作用により果物の中の汁を分離し、ジュースが濾過網１３を経由して絞りコップ１４の中に流れ込み、絞りカスが濾過網１３の中に残り、ジュースの絞りが完了し、ジュースを出す時、水ポンプ４９を起動すればよく、また、ジュース出しが完了したら水ポンプ４９を閉めば良く、皮取りチャンバ１８に残ったカスを取る時、第二液圧シリンダー４７を起動し、第二ピストン押棒４６が皮取りチャンバ１８におけるカスを皮収納箱１６の中に押し、皮収納箱１６の中の皮のカスを取る時、皮収納箱１６を引き出し、皮のカスを出せば良い。
【００１９】
本発明の有益効果は：伝統的なジューサーと比べ、本発明は自動的に皮を剥くことができ、人力による皮むきのリスクを防止し、ジュースを取るのも便利になり、ジュースを飲むの便利度を上げ、宣伝価値がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182789.tif 000003
【図２】
2020182789.tif 000004
【図３】
2020182789.tif 000005
【図４】
2020182789.tif 000006
【手続補正書】
【提出日】令和1年11月4日(2019.11.4)
【手続補正１】
【補正対象書類名】特許請求の範囲
【補正対象項目名】全文
【補正方法】変更
【補正の内容】
【特許請求の範囲】
【請求項１】
正面視で、果物ジューサーであって、台座を含み、前記台座には絞りコップが固定的に装着され、前記絞りコップの中にはジュースを絞り且つジュースと絞りカスとを分離できる絞り機構が設置され、前記絞りコップの頂部にはコップ蓋がねじ山により装着され、前記コップ蓋の頂部には皮取り箱が固定的に装着され、前記皮取り箱の中には皮取り機構が設置され、前記皮取り機構は前記皮取り箱の中に設置された歯車チャンバを含み、前記皮取り箱の中には皮取りチャンバが設置され、前記歯車チャンバの底壁と前記皮取りチャンバの頂壁との間には第一歯車軸が回転可能に装着され、前記第一歯車軸の底部端面には爪盤が固定的に装着され、前記皮取りチャンバの右側内壁にはスライドブロック溝が設置され、前記スライドブロック溝の底壁と前記歯車チャンバの底壁との間にはねじ山棒が回転可能に装着され、前記ねじ山棒にはねじ山スライドブロックがねじ山により装着され、前記ねじ山スライドブロックと前記スライドブロック溝とがスライド可能に装着され、前記ねじ山スライドブロックには支持棒が固定的に装着され、前記支持棒の前側端面には皮取り刀棒がヒンジにより装着され、前記皮取り刀棒の右側末端と前記ねじ山スライドブロックとの間にはばねが固定的に装着され、前記皮取り刀棒にはローリングボールが回転可能に装着され、前記ローリングボールは前記皮取り刀棒を果物の外表面の弧線上に移動でき、前記皮取り刀棒に左側末端には皮取り刀が固定的に装着され、前記皮取り機構の左側には果物を角切できる切機構が設置され、前記切機構の中には押棒溝が設置され、前記押棒溝の中には押棒がスライド可能に装着され、前記押棒溝の中には切刀が固定的に装着され、前記切機構の左側にはジュースを取るジュース取り機構が設置されていることを特徴とする果物ジューサー。
【請求項２】
前記絞り機構はまた前記台座の中に固定的に装着された第一モータを含み、前記第一モータには第二歯車軸が固定的に装着され、前記第二歯車軸の頂部端面には撹拌ブレードが固定され、前記絞りコップの中には濾過網が設置されていることを特徴とする請求項１に記載の果物ジューサー。
【請求項３】
前記皮取り機構はまた前記皮取りチャンバの下部に設置された皮収納箱を含み、前記皮取りチャンバと前記皮収納箱とが連通されており、前記第一歯車軸の上部端面には第一歯車が固定的に装着され、前記ねじ山棒の上部端面には第二歯車が固定的に装着され、前記歯車チャンバの右側内壁には第二モータが固定的に装着され、前記第二モータには第二モータ軸が固定的に装着され、前記第二モータ軸には第三歯車が固定的に装着され、前記第一歯車と前記第三歯車とが噛み合っており、前記第二モータ軸において前記第三歯車の右側には第四歯車が固定的に装着され、前記第二歯車と前記第四歯車とが噛み合っており、前記皮取りチャンバの底壁には第三モータが固定的に装着され、前記第三モータには第三モータ軸が固定的に装着され、前記第三モータ軸には回転盤が固定的に装着され、前記回転盤には第一液圧シリンダーが固定的に装着され、前記第一液圧シリンダーには第一ピストン押棒が装着され、前記第一ピストン押棒にはトレイが固定的に装着されていることを特徴とする請求項１に記載の果物ジューサー。
【請求項４】
前記切機構は前記皮取りチャンバの左側内壁に設置された止め板溝を含み、前記止め板溝の中には止め板がスライド可能に装着され、前記押棒溝と前記皮取りチャンバとの間には回し棒チャンバが連通するように設置され、前記回し棒チャンバの頂壁には回し棒が固定的に装着され、前記押棒溝の左側内壁には液圧チャンバが設置され、前記液圧チャンバの中には第二液圧シリンダーが設置され、前記第二液圧シリンダーには第二ピストン押棒が装着されていることを特徴とする請求項１に記載の果物ジューサー。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には果物ジューサーに関する。
【背景技術】
【０００２】
現在市販されているジューサーは簡単に構成されており、機構も単一で、しかも皮の剥かれた果物でなければ使用できなく、りんごやなしといった果物だと、皮をむきにくく、手を傷つける恐れがある。また、出来上がったジュースを飲む時手動でコップに注ぐ必要があり、面倒くさい。
【先行技術文献】
【特許文献】
【０００３】
【特許文献１】中国特許出願公開第１０５４７３０３２号明細書
【発明の概要】
【発明が解決しようとする課題】
【０００４】
本発明の目的は果物ジューサーを提供し、それは上記の現在の技術中の問題を解決できる。
【課題を解決するための手段】
【０００５】
果物ジューサーであって、台座を含み、前記台座には絞りコップが固定的に装着され、前記絞りコップの中にはジュースを絞り且つジュースと絞りカスとを分離できる絞り機構が設置され、前記絞りコップの頂部にはコップ蓋がねじ山により装着され、前記コップ蓋の頂部には皮取り箱が固定的に装着され、前記皮取り箱の中には皮取り機構が設置され、前記皮取り機構は前記皮取り箱の中に設置された歯車チャンバを含み、前記皮取り箱の中には皮取りチャンバが設置され、前記歯車チャンバの底壁と前記皮取りチャンバの頂壁との間には第一歯車軸が回転可能に装着され、前記第一歯車軸の底部端面には爪盤が固定的に装着され、前記皮取りチャンバの右側内壁にはスライドブロック溝が設置され、前記スライドブロック溝の底壁と前記歯車チャンバの底壁との間にはねじ山棒が回転可能に装着され、前記ねじ山棒にはねじ山スライドブロックがねじ山により装着され、前記ねじ山スライドブロックと前記スライドブロック溝とがスライド可能に装着され、前記ねじ山スライドブロックには支持棒が固定的に装着され、前記支持棒の前側端面には皮取り刀棒がヒンジにより装着され、前記皮取り刀棒の右側末端と前記ねじ山スライドブロックとの間にはばねが固定的に装着され、前記皮取り刀棒にはローリングボールが回転可能に装着され、前記ローリングボールは前記皮取り刀棒を果物の外表面の弧線上に移動でき、前記皮取り刀棒に左側末端には皮取り刀が固定的に装着され、前記皮取り機構の左側には果物を角切できる切機構が設置され、前記切機構の中には押棒溝が設置され、前記押棒溝の中には押棒がスライド可能に装着され、前記押棒溝の中には切刀が固定的に装着され、前記切機構の左側にはジュースを取るジュース取り機構が設置されている。
【０００６】
優選的には、前記絞り機構はまた前記台座の中に固定的に装着された第一モータを含み、前記第一モータには第二歯車軸が固定的に装着され、前記第二歯車軸の頂部端面には撹拌ブレードが固定され、前記絞りコップの中には濾過網が設置されている。
【０００７】
優選的には、前記皮取り機構はまた前記皮取りチャンバの下部に設置された皮収納箱を含み、前記皮取りチャンバと前記皮収納箱とが連通されており、前記第一歯車軸の上部端面には第一歯車が固定的に装着され、前記ねじ山棒の上部端面には第二歯車が固定的に装着され、前記歯車チャンバの右側内壁には第二モータが固定的に装着され、前記第二モータには第二モータ軸が固定的に装着され、前記第二モータ軸には第三歯車が固定的に装着され、前記第一歯車と前記第三歯車とが噛み合っており、前記第二モータ軸において前記第三歯車の右側には第四歯車が固定的に装着され、前記第二歯車と前記第四歯車とが噛み合っており、前記皮取りチャンバの底壁には第三モータが固定的に装着され、前記第三モータには第三モータ軸が固定的に装着され、前記第三モータ軸には回転盤が固定的に装着され、前記回転盤には第一液圧シリンダーが固定的に装着され、前記第一液圧シリンダーには第一ピストン押棒が装着され、前記第一ピストン押棒にはトレイが固定的に装着されている。
【０００８】
優選的には、前記切機構は前記皮取りチャンバの左側内壁に設置された止め板溝を含み、前記止め板溝の中には止め板がスライド可能に装着され、前記押棒溝と前記皮取りチャンバとの間には回し棒チャンバが連通するように設置され、前記回し棒チャンバの頂壁には回し棒が固定的に装着され、前記押棒溝の左側内壁には液圧チャンバが設置され、前記液圧チャンバの中には第二液圧シリンダーが設置され、前記第二液圧シリンダーには第二ピストン押棒が装着されている。
【発明の効果】
【０００９】
本発明の有益効果は：伝統的なジューサーと比べ、本発明は自動的に皮を剥くことができ、人力による皮むきのリスクを防止し、ジュースを取るのも便利になり、ジュースを飲むの便利度を上げ、宣伝価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は果物ジューサーの全体構造図
【図２】図２は図１におけるＡ―Ａ方向の断面構造図
【図３】図３は図１におけるＢの拡大構造図
【図４】図４は図１におけるＣの拡大構造図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、果物ジューサーであって、台座１９を含み、前記台座１９には絞りコップ１４が固定的に装着され、前記絞りコップ１４の中にはジュースを絞り且つジュースと絞りカスとを分離できる絞り機構１０が設置され、前記絞りコップ１４の頂部にはコップ蓋１５がねじ山により装着され、前記コップ蓋１５の頂部には皮取り箱１７が固定的に装着され、前記皮取り箱１７の中には皮取り機構２０が設置され、前記皮取り機構２０は前記皮取り箱１７の中に設置された歯車チャンバ３４を含み、前記皮取り箱１７の中には皮取りチャンバ１８が設置され、前記歯車チャンバ３４の底壁と前記皮取りチャンバ１８の頂壁との間には第一歯車軸３２が回転可能に装着され、前記第一歯車軸３２の底部端面には爪盤３３が固定的に装着され、前記皮取りチャンバ１８の右側内壁にはスライドブロック溝２１が設置され、前記スライドブロック溝２１の底壁と前記歯車チャンバ３４の底壁との間にはねじ山棒７０が回転可能に装着され、前記ねじ山棒７０にはねじ山スライドブロック３５がねじ山により装着され、前記ねじ山スライドブロック３５と前記スライドブロック溝２１とがスライド可能に装着され、前記ねじ山スライドブロック３５には支持棒２２が固定的に装着され、前記支持棒２２の前側端面には皮取り刀棒２８がヒンジにより装着され、前記皮取り刀棒２８の右側末端と前記ねじ山スライドブロック３５との間にはばね５２が固定的に装着され、前記皮取り刀棒２８にはローリングボール２９が回転可能に装着され、前記ローリングボール２９は前記皮取り刀棒２８を果物の外表面の弧線上に移動でき、前記皮取り刀棒２８に左側末端には皮取り刀２３が固定的に装着され、前記皮取り機構２０の左側には果物を角切できる切機構３０が設置され、前記切機構３０の中には押棒溝３８が設置され、前記押棒溝３８の中には押棒３７がスライド可能に装着され、前記押棒溝３８の中には切刀７１が固定的に装着され、前記切機構３０の左側にはジュースを取るジュース取り機構６０が設置されている。
【００１４】
前記絞り機構１０はまた前記台座１９の中に固定的に装着された第一モータ１１を含み、前記第一モータ１１には第二歯車軸１２が固定的に装着され、前記第二歯車軸１２の頂部端面には撹拌ブレード６４が固定され、前記絞りコップ１４の中には濾過網１３が設置され、ジュースを絞る時、第一モータ１１を起動し、第一モータ１１が撹拌ブレード６４を回転連動させ、撹拌ブレード６４が濾過網１３における果物を高速に回転させ、遠心作用により果物の中の汁を分離し、ジュースが濾過網１３を経由して絞りコップ１４の中に流れ込み、絞りカスが濾過網１３の中に残り、ジュースの絞りが完了する。
【００１５】
前記皮取り機構２０はまた前記皮取りチャンバ１８の下部に設置された皮収納箱１６を含み、前記皮取りチャンバ１８と前記皮収納箱１６とが連通されており、前記第一歯車軸３２の上部端面には第一歯車３０が固定的に装着され、前記ねじ山棒７０の上部端面には第二歯車２６が固定的に装着され、前記歯車チャンバ３４の右側内壁には第二モータ２４が固定的に装着され、前記第二モータ２４には第二モータ軸２５が固定的に装着され、前記第二モータ軸２５には第三歯車３１が固定的に装着され、前記第一歯車３０と前記第三歯車３１とが噛み合っており、前記第二モータ軸２５において前記第三歯車３１の右側には第四歯車２７が固定的に装着され、前記第二歯車２６と前記第四歯車２７とが噛み合っており、前記皮取りチャンバ１８の底壁には第三モータ４４が固定的に装着され、前記第三モータ４４には第三モータ軸４３が固定的に装着され、前記第三モータ軸４３には回転盤４２が固定的に装着され、前記回転盤４２には第一液圧シリンダー４１が固定的に装着され、前記第一液圧シリンダー４１には第一ピストン押棒４０が装着され、前記第一ピストン押棒４０にはトレイ３９が固定的に装着され、皮と取る時、果物をトレイ３９に置き、第一液圧シリンダー４１を起動し、第一液圧シリンダー４１がトレイ３９を上に移動連動させ、果物をきつく挟んだ後、第二モータ２４を起動し、第二モータ２４が第三歯車３１と第四歯車２７とを回転連動させ、第三歯車３１が爪盤３３を回転連動させ、第四歯車２７がねじ山棒７０を回転連動させ、ねじ山棒７０がねじ山スライドブロック３５をスライドブロック溝２１の中で上下に移動連動させ、ねじ山スライドブロック３５が皮取り刀２３を連動させて果物の外表面の弧線で上下に移動させ、皮を剥く。
【００１６】
前記切機構３０は前記皮取りチャンバ１８の左側内壁に設置された止め板溝６２を含み、前記止め板溝６２の中には止め板３６がスライド可能に装着され、前記押棒溝３８と前記皮取りチャンバ１８との間には回し棒チャンバ６３が連通するように設置され、前記回し棒チャンバ６３の頂壁には回し棒６１が固定的に装着され、前記押棒溝３８の左側内壁には液圧チャンバ４５が設置され、前記液圧チャンバ４５の中には第二液圧シリンダー４７が設置され、前記第二液圧シリンダー４７には第二ピストン押棒４６が装着され、皮を剥く時、止め板３６を閉め、果物を切る時、止め板３６を開け、第三モータ４４を起動し、第三モータ４４が回転盤４２を回転連動させ、回転盤４２が果物を左に回転連動させ、果物が回し棒チャンバ６３の中に回転した後、回し棒６１の作用により押棒溝３８の中に落ち、そして下に押棒３７を押し、果物が角切されて絞りコップ１４の中に落ち、皮取りチャンバ１８に残ったカスを取る時、第二液圧シリンダー４７を起動し、第二液圧シリンダー４７が第二ピストン押棒４６を押し動かし、第二ピストン押棒４６が皮取りチャンバ１８におけるカスを皮収納箱１６の中に押し、皮収納箱１６の中の皮のカスを取る時、皮収納箱１６を引き出し、皮のカスを出せば良い。
【００１７】
前記ジュース取り機構６０はジュース取り台５１に固定的に装着された固定ブロック５０を含み、前記固定ブロック５０の中にはジュース出しパイプ６５が固定的に装着され、前記ジュース出しパイプ６５が前記絞りコップ１４を貫通して前記絞りコップ１４の中に位置しており、前記ジュース出しパイプ６５の内部には水ポンプ４９が設置され、ジュースを出す時、水ポンプ４９を起動すればよく、また、ジュース出しが完了したら水ポンプ４９を閉めば良い。
【００１８】
使用する時、果物をトレイ３９に置き、止め板３６を閉め、第一液圧シリンダー４１を起動し、果物をきつく挟んだ後、第二モータ２４を起動し、第二モータ２４が第二モータ軸２５を回転連動させ、第二モータ軸２５が同時に第三歯車３１と第四歯車２７とを回転連動させ、第三歯車３１が第一歯車軸３２を回転連動させ、第一歯車軸３２が爪盤３３を回転連動させると同時に、第四歯車２７がねじ山棒７０を回転連動させ、ねじ山棒７０がねじ山スライドブロック３５をスライドブロック溝２１の中で上下に移動連動させ、ねじ山スライドブロック３５が皮取り刀２３を連動させて果物の外表面の弧線で上下に移動させ、皮を剥き、そして止め板３６を開け、第三モータ４４を起動し、第三モータ４４が果物を左に回転連動させ、果物が回し棒チャンバ６３の中に回転した後、回し棒６１の作用により押棒溝３８の中に落ち、そして下に押棒３７を押し、果物が角切されて絞りコップ１４の中に落ち、第一モータ１１を起動し、第一モータ１１が撹拌ブレード６４を回転連動させ、撹拌ブレード６４が遠心作用により果物の中の汁を分離し、ジュースが濾過網１３を経由して絞りコップ１４の中に流れ込み、絞りカスが濾過網１３の中に残り、ジュースの絞りが完了し、ジュースを出す時、水ポンプ４９を起動すればよく、また、ジュース出しが完了したら水ポンプ４９を閉めば良く、皮取りチャンバ１８に残ったカスを取る時、第二液圧シリンダー４７を起動し、第二ピストン押棒４６が皮取りチャンバ１８におけるカスを皮収納箱１６の中に押し、皮収納箱１６の中の皮のカスを取る時、皮収納箱１６を引き出し、皮のカスを出せば良い。
【００１９】
本発明の有益効果は：伝統的なジューサーと比べ、本発明は自動的に皮を剥くことができ、人力による皮むきのリスクを防止し、ジュースを取るのも便利になり、ジュースを飲むの便利度を上げ、宣伝価値がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。